(57)【特許請求の範囲】
【請求項１】
弱陰イオン交換樹脂を用いてニンニク抽出液中からオリゴ糖を溶出させるに際して、溶出液として水のみを使用し、レクチンを吸着除去することを特徴とする、オリゴ糖の精製方法。
【請求項２】
前記オリゴ糖を溶出させた後に、前記ニンニク抽出液中から吸着除去されたレクチンを、溶出液を塩化ナトリウムに変更して溶出させる、請求項１に記載のオリゴ糖の精製方法。
【発明の詳細な説明】
【技術分野】
【０００１】
本発明は、ニンニク由来のオリゴ糖を精製する方法に関する。
【背景技術】
【０００２】
近年、植物に由来する種々のオリゴ糖が精製されている。例えば三糖類では、甜菜、大豆などに少量存在する、ガラクトース、グルコース、フルクトースの各１分子からなるラフィノースや、四糖類では、大豆やちょろぎに存在する、ガラクトース２分子、グルコース、フルクトースの各１分子からなるスタキオースなどがある。オリゴ糖はヒトの消化酵素では分解されず、腸内のビフィズス菌などのいわゆる善玉菌を増殖する効果が確認されており、整腸作用や生活習慣病の予防を期待して様々な健康食品に利用されている。
【０００３】
生ニンニクは、糖質が全質量の２６％から３０％を占め、乾燥物換算では約８０％となる。主成分はフルクタンであり、細胞壁の多糖成分としてガラクタンなども報告されている。また単糖類としてグルコース、フルクトース、二糖類としてスクロース、三糖類としてフルクトフラノシルスクロース、四糖類としてフルクトース４分子からなるスコロドースなどが報告されている（非特許文献１参照）。
【０００４】
このニンニク由来のオリゴ糖を精製する方法としては、発明者が提案した、熱水抽出、硫安分画、ゲル濾過およびイオン交換クロマトグラフィー、凍結乾燥による精製方法が知られている（特許文献１参照）。
【先行技術文献】
【特許文献】
【０００５】
【特許文献１】特開２００６−２０６５７２号公報
【非特許文献】
【０００６】
【非特許文献１】斉藤洋著「ニンニクの科学」朝倉書店、2000年、p.104
【発明の概要】
【発明が解決しようとする課題】
【０００７】
前述のように、ニンニク由来のオリゴ糖は多様な糖類からなり、これを高い純度で精製できれば種々の用途において有用である。しかし、前述の精製方法によって得られる凍結乾燥物に含まれる糖質は全質量の６４％と必ずしも高いものではない。
本発明は、ニンニクから高純度のオリゴ糖を得ることができる精製方法を提供することを目的とする。
【課題を解決するための手段】
【０００８】
本発明は、弱陰イオン交換樹脂を用いてニンニク抽出液中からオリゴ糖を溶出させるに際して、溶出液として水のみを使用し、レクチンを吸着除去することを特徴とする、オリゴ糖の精製方法を提供する。
【０００９】
本発明において、ニンニクは、新鮮な生ニンニクが好適であるが、陰乾したものなど保存用に加工したものを用いることもできる。
【００１０】
本発明において、ニンニク抽出液とは、ニンニクに含まれるオリゴ糖が溶解した溶液をいう。
【００１１】
本発明において、溶出液とは、弱陰イオン交換樹脂を充填したカラムを通してオリゴ糖を溶出させるために用いる溶液である。溶出液としては蒸留水が好適であるが、純粋や超純水、イオン交換水など他の精製水を用いることもできる。
【００１２】
従来、イオン交換クロマトグラフィーでは、溶出液として酢酸緩衝液やリン酸緩衝液等の緩衝液が用いられるのが一般的であるが、本発明においてはこのような緩衝液は一切用いることなく、水、特に蒸留水のみでオリゴ糖を溶出する。その結果、従来は達成できなかった高純度のオリゴ糖が精製されるに至った。この理由としては、緩衝液を用いた場合には、透析を行っても緩衝液の成分と思われる化合物が僅かに残留し、それが凍結乾燥の際の水分の完全除去を妨げていることが考えられる。
【００１３】
溶出液として水を用いることにより、ニンニク抽出液中のオリゴ糖は弱陰イオン交換樹脂に吸着されることなく溶出し、レクチンのみが吸着される。そのため、比較的短く、小さいカラムであっても、ニンニク抽出液からオリゴ糖とレクチンを分離、精製することができる。
【００１４】
さらに本発明は、オリゴ糖を溶出させた後に、ニンニク抽出液中から吸着除去されたレクチンを、溶出液を塩化ナトリウムに変更して溶出させる、オリゴ糖の精製方法を提供する。
【発明の効果】
【００１５】
本発明によって得られた高純度のオリゴ糖は、例えば免疫の活性化するための薬剤や食材等に用いることができる。またオリゴ糖の溶出液として緩衝液ではなく水を用いたことによって透析工程を省くことができるようになり、オリゴ糖の精製コストを削減することができる。
【図面の簡単な説明】
【００１６】
【図１】生ニンニク抽出物を含む溶液のイオン交換クロマトグラフィーを示すグラフ
【発明を実施するための形態】
【００１７】
以下、本発明の実施の形態について説明する。ニンニクは、同量の蒸留水とともにミキサーにかけ、粉砕処理を行う。処理物は綿布などで濾過し、濾液をフラスコなどに集める。濾液は熱処理を行い、その後室温に戻す。処理液は遠心分離機にかけて不要物を除去した後に塩析する。これを遠心分離機にかけ、沈殿物を得る。この沈殿物を蒸留水に溶かし、再び遠心分離機にかけて不要物を除去する。不要物を除去した処理液は蒸留水に対して透析する。透析された処理液は、蒸留水で平衡化されたカラム（ＤＥＡＥ−ＴＯＹＯＰＥＡＲＬ  ６５０Ｍ）にかけ、弱陰イオン交換クロマトグラフィーを行う。溶出液としては、通常用いられる酢酸緩衝液やリン酸緩衝液等の緩衝液ではなく、蒸留水を用いる。溶出した処理液のうち４９０ｎｍで高い吸光度を示す部分を集め、これを凍結乾燥する。
【実施例】
【００１８】
本発明のオリゴ糖の精製方法を用いて行った実験結果を示す。何れも熊本県産の新ニンニクからオリゴ糖を単離精製する実験であり、日を変えて３回行った。実験の詳細を３回目のデータに基づいて説明する。
【００１９】
皮をむき、鱗茎下部の硬い部分を除去した新ニンニク１８９ｇに蒸留水１８９ｍｌを加え、ミキサーで２分間粉砕処理した。これを綿布を用いて濾過し、得た溶液を恒温槽で８２℃で３０分間加熱した。これを室温まで冷却し、遠心分離（１００００ｒｐｍ、１０ｍｉｎ、４℃）により不溶物を取り除き、上澄み１８２ｍｌを得た。これに８０％飽和となるように硫酸アンモニウム１２６ｇを攪拌しながら加え、４℃で１５分間放置した後に再び遠心分離１００００ｒｐｍ、１０ｍｉｎ、４℃）を行い、沈殿物を得た。この沈殿物を蒸留水１００ｍｌに溶かし、不溶物を遠心分離（１００００ｒｐｍ、１０ｍｉｎ、４℃）により除去した。
【００２０】
これにより得た上澄みをシームレスセルロースチューブに詰め、蒸留水に対して透析を行った。この透析は、３ｌの蒸留水を２日間にかけて５回交換して行った。透析により得た溶液は、Ｓｅｐｈａｄｅｘ  Ｇ−７５カラムクロマトグラフィーによるゲル濾過を行ったところ、チューブ内の溶液にはオリゴ糖とレクチンのみが含まれていた。
【００２１】
チューブ内の溶液１１５ｍｌを、蒸留水で平衡化したＤＥＡＥ−ＴＯＹＯＰＥＡＲＬ  ６５０Ｍカラム（４．２×１９．０ｃｍ）にかけ、蒸留水で溶出した。各フラクションに１７ｍｌずつ集め、２６番目以降は溶出液を蒸留水から１ＭＮａＣｌに変更した。各フラクションから５０μｌずつ採取し、フェノール硫酸法により糖質の定量を行った。その結果を図１に表す。
【００２２】
糖質を多く含む１２番目から１８番目のフラクションを集め、凍結乾燥を行った。この凍結乾燥物は、その含有量の１００％が糖質であり、純物質であった。これにより１０２８ｍｇのオリゴ糖が得られた。このオリゴ糖は、β−２，１結合した１０個のフルクトースが、β−１，２結合で１個のグルコースと結合した分子量１８００の化合物である。
【００２３】
また、２８０ｎｍで高い吸光度を示した３７番目から４３番目のフラクションを集め、蒸留水に対して透析した後、凍結乾燥を行った。これにより３０３ｍｇのレクチンが得られた。ＤＥＡＥ−ＴＯＹＯＰＥＡＲＬ  ６５０Ｍカラムは、約１ｌの蒸留水で洗うことにより再利用できた。
【００２４】
１回目と２回目の実験についても同一の機材を用い、同一の工程を経て行った。１回目は、生ニンニク１５５ｇに対し、オリゴ糖１２４８ｍｇ、レクチン３４９ｍｇを得た。２回目は、生ニンニク１８５ｇに対し、オリゴ糖１２７３ｍｇ、レクチン３１９ｍｇを得た。
【００２５】
ＤＥＡＥ−ＴＯＹＯＰＥＡＲＬ  ６５０Ｍカラムは４．２×１９．０ｃｍという非常に短く、小さいものであるが、これに１１５ｍｌもの溶液をかけて、オリゴ糖とレクチンを分離、精製することができるのは、溶出液として蒸留水を用いてオリゴ糖を吸着させることなく溶出し、レクチンのみを吸着させるようにしているからである。レクチンの等電点は４．３であり、蒸留水中ではマイナスに荷電しているので、ＤＥＡＥ−ＴＯＹＯＰＥＡＲＬ  ６５０Ｍに吸着される。
【要約】
【課題】ニンニクから高純度のオリゴ糖を得る。
【解決手段】弱陰イオン交換樹脂を用いてニンニク抽出液中からオリゴ糖を溶出させるに際して、溶出液として水のみを使用し、レクチンを吸着除去する。
【選択図】なし【図１】
0004603625.tif 000002